(57)【要約】    【課題】      ＣＱＩ更新周期情報に基づくＣＱＩの送受信タイミングとＣＱＩ繰り返し回数情報に基づくＣＱＩの送受信タイミングとが重なるような、ＣＱＩ更新周期情報とＣＱＩ繰り返し回数情報が設定された場合でも、ＣＱＩの誤り率特性の劣化を未然に防ぐこと。    【解決手段】  ＣＱＩ送信タイミング制御部１１０及びＣＱＩ送信タイミング優先判定部１２０は、ＣＱＩ更新周期情報に基づくＣＱＩとＣＱＩ繰り返し回数情報に基づくＣＱＩの送信タイミングが重なる場合に、ＣＱＩ繰り返し回数に基づくＣＱＩを優先して送信するようにする。この結果、受信側でのＣＱＩの合成回数を確保できるようになるので、ＣＱＩの誤り率特性の劣化を未然に防ぐことができる。  【選択図】      図１
2005057391.tif 000002
【特許請求の範囲】
【請求項１】
通信相手局との間の回線品質を測定し、この測定値を示すＣＱＩ（Channel Quality Indicator）を通信相手局に送信する無線送信装置であって、
ＣＱＩの更新周期を示すＣＱＩ更新周期情報と、同じＣＱＩを何回連続して送信するかを示すＣＱＩ繰り返し回数情報とを格納するメモリと、
前記ＣＱＩ更新周期情報に基づくＣＱＩの送信タイミングと、前記ＣＱＩ繰り返し回数情報に基づくＣＱＩの送信タイミングが重なるとき、前記ＣＱＩ繰り返し回数情報に基づくＣＱＩを優先して前記通信相手局に送信するＣＱＩ送信手段と
を具備することを特徴とする無線送信装置。
【請求項２】
前記無線送信装置は、前記ＣＱＩ更新周期情報に基づくＣＱＩの送信タイミングと、前記ＣＱＩ繰り返し回数情報に基づくＣＱＩの送信タイミングが重なるとき、現在のＣＱＩ更新周期情報とＣＱＩ繰り返し回数情報が誤っていることを上位装置に通知し、上位装置から再設定されたＣＱＩ更新周期情報とＣＱＩ繰り返し回数情報を受け取って前記メモリに格納すると共に、前記ＣＱＩ送信手段は、再設定されたＣＱＩ更新周期情報とＣＱＩ繰り返し回数情報を受け取った後はそのＣＱＩ更新周期情報とＣＱＩ繰り返し回数情報に基づいてＣＱＩを前記通信相手局に送信する
ことを特徴とする請求項１に記載の無線送信装置。
【請求項３】
前記無線送信装置は、前記ＣＱＩ更新周期情報に基づくＣＱＩの送信タイミングと、前記ＣＱＩ繰り返し回数情報に基づくＣＱＩの送信タイミングが重なるとき、現在のＣＱＩ更新周期情報とＣＱＩ繰り返し回数情報が誤っていることを前記通信相手局に通知し、前記通信相手局から再設定されたＣＱＩ更新周期情報とＣＱＩ繰り返し回数情報を受け取って前記メモリに格納すると共に、前記ＣＱＩ送信手段は、再設定されたＣＱＩ更新周期情報とＣＱＩ繰り返し回数情報を受け取った後はそのＣＱＩ更新周期情報とＣＱＩ繰り返し回数情報に基づいてＣＱＩを前記通信相手局に送信する
ことを特徴とする請求項１に記載の無線送信装置。
【請求項４】
前記無線送信装置は、前記ＣＱＩ更新周期情報に基づくＣＱＩの送信タイミングと、前記ＣＱＩ繰り返し回数情報に基づくＣＱＩの送信タイミングが重なるとき、これらの送信タイミングが重ならない新たなＣＱＩ更新周期情報とＣＱＩ繰り返し回数情報を再設定して前記メモリに格納すると共にこの再設定情報を前記通信相手局に通知し、さらに前記ＣＱＩ送信手段は、再設定されたＣＱＩ更新周期情報とＣＱＩ繰り返し回数情報を受け取った後はそのＣＱＩ更新周期情報とＣＱＩ繰り返し回数情報に基づいてＣＱＩを前記通信相手局に送信する
ことを特徴とする請求項１に記載の無線送信装置。
【請求項５】
再設定される情報又は再設定する情報は、ＣＱＩ更新周期情報とＣＱＩ繰り返し回数情報のうち、ＣＱＩ更新周期情報のみである
ことを特徴とする請求項２から請求項４のいずれかに記載の無線送信装置。
【請求項６】
通信相手局との間の回線品質を示すＣＱＩ（Channel Quality Indicator）を前記通信相手局から受信して復号する無線受信装置であって、
ＣＱＩの更新周期を示すＣＱＩ更新周期情報と、同じＣＱＩを何回連続して受信復号するかを示すＣＱＩ繰り返し回数情報とを格納するメモリと、
前記ＣＱＩ更新周期情報に基づくＣＱＩの受信タイミングと、前記ＣＱＩ繰り返し回数情報に基づくＣＱＩの受信タイミングが重なるとき、前記ＣＱＩ繰り返し回数情報に基づくＣＱＩを優先して受信復号するＣＱＩ受信復号手段と
を具備することを特徴とする無線受信装置。
【請求項７】
前記無線受信装置は、前記ＣＱＩ更新周期情報に基づくＣＱＩの受信タイミングと、前記ＣＱＩ繰り返し回数情報に基づくＣＱＩの受信タイミングが重なるとき、現在のＣＱＩ更新周期情報とＣＱＩ繰り返し回数情報が誤っていることを上位装置に通知し、上位装置から再設定されたＣＱＩ更新周期情報とＣＱＩ繰り返し回数情報を受け取って前記メモリに格納すると共に、前記ＣＱＩ受信復号手段は、再設定されたＣＱＩ更新周期情報とＣＱＩ繰り返し回数情報を受け取った後はそのＣＱＩ更新周期情報とＣＱＩ繰り返し回数情報に基づいてＣＱＩを受信復号する
ことを特徴とする請求項６に記載の無線受信装置。
【請求項８】
前記無線受信装置は、前記ＣＱＩ更新周期情報に基づくＣＱＩの受信タイミングと、前記ＣＱＩ繰り返し回数情報に基づくＣＱＩの受信タイミングが重なるとき、これらの受信タイミングが重ならない新たなＣＱＩ更新周期情報とＣＱＩ繰り返し回数情報を再設定して前記メモリに格納すると共にこの再設定情報を前記通信相手局に通知し、さらに前記ＣＱＩ受信復号手段は、ＣＱＩ更新周期情報とＣＱＩ繰り返し回数情報が再設定された後はそのＣＱＩ更新周期情報とＣＱＩ繰り返し回数情報に基づいてＣＱＩを受信復号する
ことを特徴とする請求項６に記載の無線受信装置。
【請求項９】
再設定される情報又は再設定する情報は、ＣＱＩ更新周期情報とＣＱＩ繰り返し回数情報のうち、ＣＱＩ更新周期情報のみである
ことを特徴とする請求項７又は請求項８に記載の無線受信装置。
【請求項１０】
請求項１から請求項５のいずれかに記載の無線送信装置を具備することを特徴とする通信端末装置。
【請求項１１】
請求項６から請求項９のいずれかに記載の無線受信装置を具備することを特徴とする無線基地局装置。
【請求項１２】
予め設定されたＣＱＩ更新周期情報及びＣＱＩ繰り返し回数情報に基づいてＣＱＩを送信する通信端末装置と、予め設定されたＣＱＩ更新周期情報及びＣＱＩ繰り返し回数情報に基づいてＣＱＩを受信復号する無線基地局装置とを備える無線通信システムであって、
前記通信端末装置は、前記ＣＱＩ繰り返し回数情報に基づくＣＱＩを優先して送信すると共に、前記無線基地局装置は、前記ＣＱＩ繰り返し回数情報に基づくＣＱＩを優先して受信復号する
ことを特徴とする無線通信システム。
【請求項１３】
さらに、複数の無線基地局装置を制御する上位装置を具備し、
前記上位装置は、前記通信端末装置において、前記ＣＱＩ更新周期情報に基づくＣＱＩの送信タイミングと前記ＣＱＩ繰り返し回数情報に基づくＣＱＩの送信タイミングが重なったとき、又は、前記無線基地局装置において、前記ＣＱＩ更新周期情報に基づくＣＱＩの受信タイミングと前記ＣＱＩ繰り返し回数情報に基づくＣＱＩの受信タイミングが重なったとき、そのことを示す情報を前記通信端末装置又は前記無線基地局装置から受信し、前記通信端末装置と前記無線基地局装置の両方に、新たに設定したＣＱＩ更新周期情報及びＣＱＩ繰り返し回数情報を通知する
ことを特徴とする請求項１２に記載の無線通信システム。
【請求項１４】
通信相手局との間の回線品質を測定し、この測定値を示すＣＱＩ（Channel Quality Indicator）を通信相手局に送信する無線送信方法であって、
予め設定されたＣＱＩ更新周期情報に基づくＣＱＩの送信タイミングとＣＱＩ繰り返し回数情報に基づくＣＱＩの送信タイミングとが重なったときに、繰り返し回数情報に基づくＣＱＩを優先して送信する
ことを特徴とする無線送信方法。
【請求項１５】
通信相手局との間の回線品質を示すＣＱＩ（Channel Quality Indicator）を前記通信相手局から受信して復号する無線受信方法であって、
予め設定されたＣＱＩ更新周期情報に基づくＣＱＩの受信タイミングとＣＱＩ繰り返し回数情報に基づくＣＱＩの受信タイミングが重なったときに、繰り返し回数情報に基づくＣＱＩを優先して受信復号する
ことを特徴とする無線受信方法。
【発明の詳細な説明】
【技術分野】
【０００１】
本発明は無線送信装置、無線受信装置、無線通信システム、無線送信方法及び無線受信方法に関し、特にＣＱＩ（Channel Quality Indicator）を用いて伝送レートを適応的に変化させる無線通信システムに適用し得る。
【背景技術】
【０００２】
従来、無線通信システムの分野において、高速大容量な下りチャネルを複数の通信端末装置が共有し、下り回線で高速パケット伝送を行うＨＳＤＰＡ（High Speed Downlink Packet Access）が規格化されている（例えば、特許文献１参照。）。
【０００３】
このようなＨＳＤＰＡシステムにおいては、基地局は、ＲＮＣ（Radio Network Controller）等の上位装置が設定した周期にて、ＣＱＩ（Channel Quality Indicator）と呼ばれる通信端末において復調可能なパケットデータの変調方式及び符号化率を示す信号を通信端末から送信してもらう。ＣＱＩを受信した基地局は、各通信端末から送られてきたＣＱＩを用いてスケジューリングを行うと共に最適な変調方式及び符号化率等を選択する。そして、基地局は、選択した変調方式及び符号化率等を用いて送信データを変調及び符号化し、スケジューリング結果に基づいて各通信端末へデータを送信するものである。これにより、電波伝搬環境に応じて伝送レートを適応的に変えて、大容量のデータを基地局から通信端末へ送信することができる。
【０００４】
このＣＱＩの送り方として、例えば「3GPP, TS 25.214 V5.5.0 6A.1.2」（非特許文献１）で規格化された方法がある。その方法では、通信端末はＣＱＩ feedback cycle kと呼ばれるパラメータに基づいた所定の周期でＣＱＩを算出し基地局に送信する。また通信端末は同じＣＱＩを、N_ＣＱＩ_transmitと呼ばれるパラメータに基づいた数だけ繰り返して基地局に送信する。
【０００５】
図１３に、ＣＱＩを送信する従来の通信端末の構成例を示す。通信端末１０において、受信無線部１３は、無線基地局から送信された無線信号をアンテナ１１及びアンテナ共用部１２を介して受信し、所定の無線処理を施した後逆拡散部１４に送出する。逆拡散部１４は、受信無線部１３から入力した信号に対し逆拡散処理を施し、逆拡散処理後の信号を復調部１５及びＳＩＲ測定部１７に送出する。復調部１５は、逆拡散部１４から入力した信号に対し復調処理を施し、復調後の信号を復号部１６に送出する。復号部１６は、復調後の信号に対し復号処理を施し、受信データを得る。またＳＩＲ測定部１７は、逆拡散部１４から入力した信号のＳＩＲ（Signal to Interference Ratio）を測定し、測定したＳＩＲをＣＱＩ算出部１８に送出する。ＣＱＩ算出部１８は、測定されたＳＩＲに基づいて、自機が受信可能な下りの伝送レート情報（ＣＱＩ）を決定し、それを送信フレーム作成部１９に送出する。
【０００６】
ＣＱＩ送信タイミング制御部２０は、メモリ２４に格納されたＣＱＩ更新周期情報とＣＱＩ繰り返し回数情報とに基づいて、ＣＱＩの送信タイミングを決定すると共に送信するＣＱＩを選択する。実際上、ＣＱＩ送信タイミング制御部２０は、メモリ２４に格納されたパラメータＣＱＩ feedback cycle k（つまりＣＱＩ更新周期情報）に従った周期でＣＱＩの内容を変更すると共に、パラメータrepetition（つまりＣＱＩ繰り返し回数情報）に従った繰り返し回数だけ同一のＣＱＩを送信することを指示する制御信号を送信フレーム作成部１９に送出する。因みに、メモリ２４に格納されるＣＱＩ更新周期情報及びＣＱＩ繰り返し回数情報は、ＲＮＣ等の上位装置により設定され、無線基地局を介して受け取ったものである。
【０００７】
図１４に、ＣＱＩ feedback cycle k＝３（３サブフレームに１回ＣＱＩを算出し３サブフレーム毎にＣＱＩを変更して無線基地局に送信することを意味する）、repetition＝２回（同じＣＱＩを連続したサブフレームで２回繰り返して送信することを意味する）とした場合の通信端末におけるＣＱＩの送信タイミングを示す。
【０００８】
通信端末は、ＣＱＩを算出する区間（Measurement Reference Period）のうちサブフレーム（ＳＦ）＃0に対応した測定期間Ref 1で測定したＣＱＩ 1（図１４（ａ））を、HS-DPCCH（High Speed−Dedicated Physical Control Channel）のサブフレーム（図１４（ｂ））のうちＳＦ＃1とＳＦ＃2で繰り返して送信する。同様に、ＳＦ＃3に対応した測定期間Ref 2で測定したＣＱＩ 2を、ＳＦ＃4とＳＦ＃5で繰り返して送信する。因みに、各ＳＦ＃０〜ＳＦ＃５はそれぞれ３スロットで構成され、先頭の１スロットにＡＣＫ／ＮＡＣＫ信号を埋め込むと共に残り２スロットにＣＱＩ信号を埋め込むようになっている。
【０００９】
送信フレーム作成部１９は、送信データとＣＱＩ信号から送信フレームを作成し、変調部２１に送出する。実際上、送信フレーム作成部１９は、上述したようにＣＱＩ送信タイミング制御部２０からの制御信号に従って、送信フレームのどの位置にＣＱＩ信号を埋め込むかを決めると共に、同一のＣＱＩ信号を埋め込むのか新たに変更したＣＱＩ信号を埋め込むのかを決めて送信フレームを作成する。
【００１０】
変調部２１は、送信フレーム作成部１９から入力した送信フレームを変調し、拡散部２２に送出する。拡散部２２は変調後の信号を拡散し、送信無線部２３に送出する。送信無線部２３は拡散後の信号に所定の無線処理を施し、アンテナ共用部１２及びアンテナ１１を介して無線基地局に送信する。
【００１１】
図１５に、通信端末１０からのＣＱＩ信号を受信し、受信したＣＱＩに基づいて下り信号を送信する従来の無線基地局の構成例を示す。無線基地局３０において、受信無線部３３は、通信端末１０から送信された無線信号を、アンテナ３１及びアンテナ共用部３２を介して受信し、所定の無線処理を施した後逆拡散部３４に送出する。
【００１２】
メモリ４４には、通信端末１０のメモリ２４に格納されているものと同じＣＱＩ更新周期情報とＣＱＩ繰り返し回数情報が格納されている。従って、ＣＱＩ受信タイミング制御部３５は、通信端末１０で用いたのと同じＣＱＩ更新周期情報とＣＱＩ繰り返し回数情報からＣＱＩを受信するタイミングを決定し、逆拡散部３４に送出する。またＣＱＩ受信タイミング制御部３５は、通信端末１０で用いたのと同じＣＱＩ更新周期情報とＣＱＩ繰り返し回数情報からＣＱＩを合成する回数を決定し、バッファ３７と復号部３８に送出する。
【００１３】
図１６に、通信端末１０と同じパラメータであるＣＱＩ feedback cycle k＝３、repetition＝２回とした場合の無線基地局３０におけるＣＱＩの受信タイミングを示す。この場合、サブフレーム（ＳＦ）＃1とＳＦ＃2がＣＱＩ 1を受信するタイミング、ＳＦ＃4とＳＦ＃5がＣＱＩ 2を受信するタイミングとなる。またＣＱＩ 1、ＣＱＩ 2共に合成する回数は２回となる。
【００１４】
逆拡散部３４は、ＣＱＩ受信タイミング制御部３５から指示されたＣＱＩ受信タイミングに従って、受信無線部３３から入力した信号を逆拡散し、復調部３６に送出する。復調部３６は、逆拡散部３４から入力した信号を復調し、バッファ３７に送出する。バッファ３７は、復調部３６から入力した信号のうちＣＱＩ信号を保持し、それ以外の信号を復号部３８に送出する。
【００１５】
またバッファ３７は、ＣＱＩ受信タイミング制御部３５から指示されたＣＱＩ合成回数に従った個数のＣＱＩを保持し、保持しているＣＱＩ信号を復号部３８に送出し、その後バッファ３７の中身を消去する。図１６の場合、保持しているＣＱＩ信号の数が２回に達したとき、保持しているＣＱＩ信号を復号部３８に出力し、バッファ３７の中身を消去する。
【００１６】
復号部３８は、バッファ３７から入力した復調後の信号を復号し、受信データを得る。また復号部３８は、ＣＱＩ受信タイミング制御部３５から指示されたＣＱＩ合成回数に従って、バッファ３７から入力したＣＱＩ信号を合成して復号し、復号したＣＱＩをスケジューラ３９に送出する。ここで合成回数で復号するとは、バッファ３７から出力された合成回数分全てのＣＱＩ信号を合成して復号することを意味する。図１６の場合、バッファ３７に保持されていた２個のＣＱＩ信号を合成して復号し、１個の復号結果を得ることになる。
【００１７】
スケジューラ３９は、復号部３８から入力したＣＱＩに基づいて送信データの伝送レートを決定し、送信フレーム作成部４０に送出する。送信フレーム作成部４０は、スケジューラ３９から通知された伝送レートに基づいて送信フレームを作成し、変調部４１に送出する。変調部４１は、送信フレーム作成部４０から入力した信号に変調処理を施し、拡散部４２に送出する。なお伝送レートに基づいて変調部４１の変調方式を変えるようにしてもよい。拡散部４２は、変調後の信号に拡散変調を施し、送信無線部４３に送出する。送信無線部４３は、拡散変調後の信号に所定の無線処理を施し、アンテナ共用部３２及びアンテナ３１を介して通信端末１０に送信する。
【特許文献１】特開２０００−１５１６２３号公報
【非特許文献１】「3GPP, TS 25.214 V5.5.0 6A.1.2」
【発明の開示】
【発明が解決しようとする課題】
【００１８】
ところが、上述したようにＣＱＩ更新周期とＣＱＩ繰り返し回数が指定されたシステムにおいては、ＣＱＩ更新周期とＣＱＩ繰り返し回数の組合せによっては不都合が生じるおそれがある。
【００１９】
この不都合が生じる例を図１７に示す。図１７は、ＣＱＩ feedback cycle k＝２（２サブフレームに１回ＣＱＩを算出し２サブフレーム毎にＣＱＩを変更して無線基地局に送信することを意味する）、repetition＝３回（同じＣＱＩを連続したサブフレームで３回繰り返して送信することを意味する）とした場合の通信端末でのＣＱＩの送信タイミングを示すものである。
【００２０】
通信端末は、ＣＱＩを算出する区間（Measurement Reference Period）のうちサブフレーム（ＳＦ）＃0に対応した測定期間Ref 1で測定したＣＱＩ 1を、HS-DPCCHのサブフレームのうちＳＦ＃1とＳＦ＃2とＳＦ＃3で繰り返して送信することになる。一方、ＳＦ＃2に対応した測定期間Ref 2で測定したＣＱＩ 2を、ＳＦ＃3とＳＦ＃4とＳＦ＃5で送信することになる。
【００２１】
この結果、ＳＦ＃3でＣＱＩ 1の送信タイミングとＣＱＩ 2の送信タイミングが重なる。またＳＦ＃4ではＣＱＩ 2を送信するかが明確でない。同様に、ＳＦ＃5でＣＱＩ 2の送信タイミングとＣＱＩ 3の送信タイミングが重なり、ＳＦ＃7でＣＱＩ 3の送信タイミングとＣＱＩ 4の送信タイミングが重なる。
【００２２】
このため、通信端末は、互いに送信タイミングが重なり合ったサブフレームでどちらのＣＱＩを送ってよいかの判断が付かなくなるといった不都合が生じる。また適当にどちらかのＣＱＩを選択して送信すると、場合によっては無線基地局において合成により得られるＣＱＩの受信電力が不足し、ＣＱＩを誤る確率が大きくなる。そしてＣＱＩの誤り率が増加すると、下り送信の誤り率特性も劣化するので、下り通信容量の低下を招くことになる。
【００２３】
本発明はかかる点に鑑みてなされたものであり、ＣＱＩ更新周期情報に基づくＣＱＩの送受信タイミングとＣＱＩ繰り返し回数情報に基づくＣＱＩの送受信タイミングとが重なるような、ＣＱＩ更新周期情報とＣＱＩ繰り返し回数情報が設定された場合でも、ＣＱＩの誤り率特性の劣化を未然に防ぐことができる無線送信装置、無線受信装置、無線通信システム、無線送信方法及び無線受信方法を提供することを目的とする。
【課題を解決するための手段】
【００２４】
かかる課題を解決するため本発明の無線送信装置は、通信相手局との間の回線品質を測定し、この測定値を示すＣＱＩを通信相手局に送信する無線送信装置であって、ＣＱＩの更新周期を示すＣＱＩ更新周期情報と、同じＣＱＩを何回連続して送信するかを示すＣＱＩ繰り返し回数情報とを格納するメモリと、ＣＱＩ更新周期情報に基づくＣＱＩの送信タイミングとＣＱＩ繰り返し回数情報に基づくＣＱＩの送信タイミングとが重なるとき、ＣＱＩ繰り返し回数情報に基づくＣＱＩを優先して通信相手局に送信するＣＱＩ送信手段とを具備する構成を採る。
【００２５】
この構成によれば、ＣＱＩ更新周期情報に基づくＣＱＩの送信タイミングとＣＱＩ繰り返し回数情報に基づくＣＱＩの送信タイミングとが重なった場合でも、どちらの情報に基づくＣＱＩを送信するかが明確になる。またＣＱＩ繰り返し回数情報に基づくＣＱＩを優先して送信するようにしたので、受信側におけるＣＱＩの受信電力を確保でき、この結果受信側でのＣＱＩの誤り率特性の劣化を未然に回避できる。
【００２６】
本発明の無線送信装置は、ＣＱＩ更新周期情報に基づくＣＱＩの送信タイミングと、ＣＱＩ繰り返し回数情報に基づくＣＱＩの送信タイミングが重なるとき、現在のＣＱＩ更新周期情報とＣＱＩ繰り返し回数情報とが誤っていることを上位装置に通知し、上位装置から再設定されたＣＱＩ更新周期情報とＣＱＩ繰り返し回数情報を受け取ってメモリに格納すると共に、ＣＱＩ送信手段は、再設定されたＣＱＩ更新周期情報とＣＱＩ繰り返し回数情報を受け取った後はそのＣＱＩ更新周期情報とＣＱＩ繰り返し回数情報に基づいてＣＱＩを通信相手局に送信する構成を採る。
【００２７】
この構成によれば、上位装置により再設定されたＣＱＩ更新周期情報とＣＱＩ繰り返し回数情報とを用いてＣＱＩの送信を行うので、ＣＱＩ更新周期情報に基づくＣＱＩの送信タイミングとＣＱＩ繰り返し回数情報に基づくＣＱＩの送信タイミングが重ならなくなり、この結果通信相手局に確実にＣＱＩを送ることができるようになる。またＣＱＩ更新周期情報とＣＱＩ繰り返し回数情報の再設定を上位装置で行うようにしたので、同一の再設定情報を前記通信相手局にも容易に通知して設定でき、前記通信相手局との間で同じ再設定情報を用いてＣＱＩの送受信を行うことができるようになる。この結果、通信相手局は、確実に同じＣＱＩ同士を合成できるようになるので、ＣＱＩを誤り無く復号できるようになる。
【００２８】
本発明の無線送信装置は、ＣＱＩ更新周期情報に基づくＣＱＩの送信タイミングと、ＣＱＩ繰り返し回数情報に基づくＣＱＩの送信タイミングが重なるとき、現在のＣＱＩ更新周期情報とＣＱＩ繰り返し回数情報が誤っていることを通信相手局に通知し、通信相手局から再設定されたＣＱＩ更新周期情報とＣＱＩ繰り返し回数情報を受け取ってメモリに格納すると共に、ＣＱＩ送信手段は、再設定されたＣＱＩ更新周期情報とＣＱＩ繰り返し回数情報を受け取った後はそのＣＱＩ更新周期情報とＣＱＩ繰り返し回数情報に基づいてＣＱＩを通信相手局に送信する構成を採る。
【００２９】
この構成によれば、通信相手局により再設定されたＣＱＩ更新周期情報とＣＱＩ繰り返し回数情報とを用いてＣＱＩの送信を行うので、ＣＱＩ更新周期情報に基づくＣＱＩの送信タイミングとＣＱＩ繰り返し回数情報に基づくＣＱＩの送信タイミングが重ならなくなり、この結果通信相手局に確実にＣＱＩを送ることができるようになる。またＣＱＩ更新周期情報とＣＱＩ繰り返し回数情報の再設定を通信相手局で行うようにしたので、通信相手局との間で同じ再設定情報を用いてＣＱＩの送受信を行うことができるようになる。この結果、通信相手局は、確実に同じＣＱＩ同士を合成できるようになるので、ＣＱＩを誤り無く復号できるようになる。
【００３０】
本発明の無線送信装置は、ＣＱＩ更新周期情報に基づくＣＱＩの送信タイミングと、ＣＱＩ繰り返し回数情報に基づくＣＱＩの送信タイミングが重なるとき、これらの送信タイミングが重ならない新たなＣＱＩ更新周期情報とＣＱＩ繰り返し回数情報を再設定してメモリに格納すると共にこの再設定情報を通信相手局に通知し、さらにＣＱＩ送信手段は、再設定されたＣＱＩ更新周期情報とＣＱＩ繰り返し回数情報を受け取った後はそのＣＱＩ更新周期情報とＣＱＩ繰り返し回数情報に基づいてＣＱＩを通信相手局に送信する構成を採る。
【００３１】
この構成によれば、再設定したＣＱＩ更新周期情報とＣＱＩ繰り返し回数情報とを用いてＣＱＩの送信を行うので、ＣＱＩ更新周期情報に基づくＣＱＩの送信タイミングとＣＱＩ繰り返し回数情報に基づくＣＱＩの送信タイミングが重ならなくなり、この結果通信相手局に確実にＣＱＩを送ることができるようになる。また再設定したＣＱＩ更新周期情報とＣＱＩ繰り返し回数情報を通信相手局に通知するようにしたので、通信相手局との間で同じ再設定情報を用いてＣＱＩの送受信を行うことができるようになる。この結果、通信相手局は、確実に同じＣＱＩ同士を合成できるようになるので、ＣＱＩを誤り無く復号できるようになる。
【００３２】
本発明の無線送信装置は、再設定される情報又は再設定する情報は、ＣＱＩ更新周期情報とＣＱＩ繰り返し回数情報のうち、ＣＱＩ更新周期情報のみである構成を採る。
【００３３】
この構成によれば、ＣＱＩ更新周期情報に基づくＣＱＩの送信タイミングとＣＱＩ繰り返し回数情報に基づくＣＱＩの送信タイミングが重ならないようにするには、実際上、ＣＱＩ更新周期情報を長くするか、又はＣＱＩ繰り返し回数情報を小さくすることが考えられるが、ＣＱＩ繰り返し回数情報を変えずにＣＱＩ更新周期情報を再設定するようにしたので、復号時のＣＱＩの合成利得を確保でき、再設定を行った際のＣＱＩの誤り率特性の低下を防止できる。
【００３４】
本発明の無線受信装置は、通信相手局との間の回線品質を示すＣＱＩを通信相手局から受信して復号する無線受信装置であって、ＣＱＩの更新周期を示すＣＱＩ更新周期情報と、同じＣＱＩを何回連続して受信復号するかを示すＣＱＩ繰り返し回数情報とを格納するメモリと、ＣＱＩ更新周期情報に基づくＣＱＩの受信タイミングとＣＱＩ繰り返し回数情報に基づくＣＱＩの受信タイミングとが重なるとき、ＣＱＩ繰り返し回数情報に基づくＣＱＩを優先して受信復号するＣＱＩ受信復号手段とを具備する構成を採る。
【００３５】
この構成によれば、ＣＱＩ更新周期情報に基づくＣＱＩの受信タイミングとＣＱＩ繰り返し回数情報に基づくＣＱＩの受信タイミングとが重なった場合でも、どちらの情報に基づくＣＱＩを受信復号するかが明確になる。またＣＱＩ繰り返し回数情報に基づくＣＱＩを優先して受信復号するようにしたので、ＣＱＩの受信電力を確保できるのでＣＱＩの誤り率特性の劣化を未然に回避できる。
【００３６】
本発明の無線受信装置は、ＣＱＩ更新周期情報に基づくＣＱＩの受信タイミングと、ＣＱＩ繰り返し回数情報に基づくＣＱＩの受信タイミングが重なるとき、現在のＣＱＩ更新周期情報とＣＱＩ繰り返し回数情報が誤っていることを上位装置に通知し、上位装置から再設定されたＣＱＩ更新周期情報とＣＱＩ繰り返し回数情報を受け取ってメモリに格納すると共に、ＣＱＩ受信復号手段は、再設定されたＣＱＩ更新周期情報とＣＱＩ繰り返し回数情報を受け取った後はそのＣＱＩ更新周期情報とＣＱＩ繰り返し回数情報に基づいてＣＱＩを受信復号する構成を採る。
【００３７】
この構成によれば、上位装置により再設定されたＣＱＩ更新周期情報とＣＱＩ繰り返し回数情報とを用いてＣＱＩの受信復号を行うので、ＣＱＩ更新周期情報に基づくＣＱＩの受信タイミングとＣＱＩ繰り返し回数情報に基づくＣＱＩの受信タイミングが重ならなくなり、この結果復号時に確実に同じＣＱＩ同士を合成できるようになり、ＣＱＩの誤り率特性の劣化を回避できるようになる。
【００３８】
本発明の無線受信装置は、ＣＱＩ更新周期情報に基づくＣＱＩの受信タイミングと、ＣＱＩ繰り返し回数情報に基づくＣＱＩの受信タイミングが重なるとき、これらの受信タイミングが重ならない新たなＣＱＩ更新周期情報とＣＱＩ繰り返し回数情報を再設定してメモリに格納すると共にこの再設定情報を通信相手局に通知し、さらにＣＱＩ受信復号手段は、ＣＱＩ更新周期情報とＣＱＩ繰り返し回数情報が再設定された後はそのＣＱＩ更新周期情報とＣＱＩ繰り返し回数情報に基づいてＣＱＩを受信復号する構成を採る。
【００３９】
この構成によれば、再設定したＣＱＩ更新周期情報とＣＱＩ繰り返し回数情報とを用いてＣＱＩの受信復号を行うので、ＣＱＩ更新周期情報に基づくＣＱＩの受信タイミングとＣＱＩ繰り返し回数情報に基づくＣＱＩの受信タイミングが重ならなくなり、この結果復号時に確実に同じＣＱＩ同士を合成できるようになり、ＣＱＩの誤り率特性の劣化を回避できるようになる。また再設定したＣＱＩ更新周期情報とＣＱＩ繰り返し回数情報を通信相手局に通知するようにしたので、通信相手局との間で同じ再設定情報を用いてＣＱＩの送受信を行うことができるようになる。この結果、確実に同じＣＱＩ同士を合成できるようになるので、ＣＱＩを誤り無く復号できるようになる。
【００４０】
本発明の無線受信装置は、再設定される情報又は再設定する情報は、ＣＱＩ更新周期情報とＣＱＩ繰り返し回数情報のうち、ＣＱＩ更新周期情報のみである構成を採る。
【００４１】
この構成によれば、ＣＱＩ更新周期情報に基づくＣＱＩの受信タイミングとＣＱＩ繰り返し回数情報に基づくＣＱＩの受信タイミングが重ならないようにするには、実際上、ＣＱＩ更新周期情報を長くするか、又はＣＱＩ繰り返し回数情報を小さくすることが考えられるが、ＣＱＩ繰り返し回数情報を変えずにＣＱＩ更新周期情報を再設定するようにしたので、復号時のＣＱＩの合成利得を確保でき、再設定を行った際のＣＱＩの誤り率特性の低下を防止できる。
【００４２】
本発明の通信端末装置は、上記無線送信装置を具備する構成を採る。
【００４３】
本発明の無線基地局装置は、上記無線受信装置を具備する構成を採る。
【００４４】
本発明の無線通信システムは、予め設定されたＣＱＩ更新周期情報及びＣＱＩ繰り返し回数情報に基づいてＣＱＩを送信する通信端末装置と、予め設定されたＣＱＩ更新周期情報及びＣＱＩ繰り返し回数情報に基づいてＣＱＩを受信復号する無線基地局装置とを備える無線通信システムであって、通信端末装置は、ＣＱＩ繰り返し回数情報に基づくＣＱＩを優先して送信すると共に、無線基地局装置は、ＣＱＩ繰り返し回数情報に基づくＣＱＩを優先して受信復号する構成を採る。
【００４５】
この構成によれば、通信端末装置でＣＱＩ更新周期情報に基づくＣＱＩの送信タイミングとＣＱＩ繰り返し回数情報に基づくＣＱＩの送信タイミングとが重なった場合、または無線基地局装置でＣＱＩ更新周期情報に基づくＣＱＩの受信タイミングとＣＱＩ繰り返し回数情報に基づくＣＱＩの受信タイミングとが重なった場合でも、無線基地局装置が通信端末装置から繰り返し送信された同一のＣＱＩを的確に合成して復号できる。またＣＱＩ繰り返し回数に基づくＣＱＩを優先して送受信するので、ＣＱＩの合成利得を確保することができる。
【００４６】
本発明の無線通信システムは、さらに、複数の無線基地局装置を制御する上位装置を具備し、上位装置は、通信端末装置において、ＣＱＩ更新周期情報に基づくＣＱＩの送信タイミングとＣＱＩ繰り返し回数情報に基づくＣＱＩの送信タイミングが重なったとき、又は、無線基地局装置において、ＣＱＩ更新周期情報に基づくＣＱＩの受信タイミングとＣＱＩ繰り返し回数情報に基づくＣＱＩの受信タイミングが重なったとき、そのことを示す情報を通信端末装置又は無線基地局装置から受信し、通信端末装置と無線基地局装置の両方に、新たに設定したＣＱＩ更新周期情報及びＣＱＩ繰り返し回数情報を通知する構成を採る。
【００４７】
この構成によれば、ＣＱＩ更新周期とＣＱＩ繰り返し回数の再設定を上位装置で行うようにしたので、通信端末装置及び無線基地局装置に同一の再設定情報を設定することができ、通信端末装置と無線基地局装置との間で同じ再設定情報を用いてＣＱＩの送受信を行うことができるようになる。この結果、無線基地局装置は、確実に同じＣＱＩ同士を合成できるようになるので、ＣＱＩを誤り無く復号できるようになる。
【００４８】
本発明の無線送信方法は、通信相手局との間の回線品質を測定し、この測定値を示すＣＱＩを通信相手局に送信する無線送信方法であって、予め設定されたＣＱＩ更新周期情報に基づくＣＱＩの送信タイミングとＣＱＩ繰り返し回数情報に基づくＣＱＩの送信タイミングとが重なったときに、繰り返し回数情報に基づくＣＱＩを優先して送信する。
【００４９】
本発明の無線受信方法は、通信相手局との間の回線品質を示すＣＱＩを通信相手局から受信して復号する無線受信方法であって、予め設定されたＣＱＩ更新周期情報に基づくＣＱＩの受信タイミングとＣＱＩ繰り返し回数情報に基づくＣＱＩの受信タイミングが重なったときに、繰り返し回数情報に基づくＣＱＩを優先して受信復号する。
【発明の効果】
【００５０】
このように本発明によれば、ＣＱＩ更新周期情報とＣＱＩ繰り返し回数情報とに基づいてＣＱＩの送受信を行うにあたって、ＣＱＩ繰り返し回数情報を優先してＣＱＩを送信すると共にＣＱＩを受信復号するようにしたことにより、ＣＱＩ更新周期情報に基づくＣＱＩの送受信タイミングとＣＱＩ繰り返し回数情報に基づくＣＱＩの送受信タイミングとが重なるような、ＣＱＩ更新周期情報とＣＱＩ繰り返し回数情報が設定された場合でも、ＣＱＩの誤り率特性の劣化を未然に防ぐことができる。
【発明を実施するための最良の形態】
【００５１】
本発明の骨子は、予め設定されたＣＱＩ更新周期情報に基づくＣＱＩの送信タイミングとＣＱＩ繰り返し回数情報に基づくＣＱＩの送信タイミングとが重なったときに、繰り返し回数情報に基づくＣＱＩを優先して送信することである。また同様に、予め設定されたＣＱＩ更新周期情報に基づくＣＱＩの受信タイミングとＣＱＩ繰り返し回数情報に基づくＣＱＩの受信タイミングが重なったときに、繰り返し回数情報に基づくＣＱＩを優先して受信復号処理を行うことである。
【００５２】
これにより、受信側での合成によるＣＱＩの受信電力を確実に確保できるようになる。
【００５３】
以下、本発明の実施の形態について図面を参照して詳細に説明する。
【００５４】
（実施の形態１）
図１に、本発明の実施の形態１に係る通信端末の構成を示す。通信端末１００において、受信無線部１０３は、無線基地局から送信された無線信号をアンテナ１０１及びアンテナ共用部１０２を介して受信し、所定の無線処理を施した後逆拡散部１０４に送出する。逆拡散部１０４は、受信無線部１０３から入力した信号に対し逆拡散処理を施し、逆拡散処理後の信号を復調部１０５及びＳＩＲ測定部１０７に送出する。復調部１０５は、逆拡散部１０４から入力した信号に対し復調処理を施し、復調後の信号を復号部１０６に送出する。復号部１０６は、復調後の信号に対し復号処理を施し、受信データを得る。またＳＩＲ測定部１０７は、逆拡散部１０４から入力した信号のＳＩＲを測定し、測定したＳＩＲをＣＱＩ算出部１０８に送出する。ＣＱＩ算出部１０８は、測定されたＳＩＲに基づいて、自機が受信可能な下りの伝送レート情報（ＣＱＩ）を決定し、それを送信フレーム作成部１０９に送出する。
【００５５】
ＣＱＩ送信タイミング制御部１１０は、メモリ１２１に格納されたＣＱＩ更新周期情報とＣＱＩ繰り返し回数情報とに基づいて、ＣＱＩの送信タイミングを決定すると共に送信するＣＱＩを選択する。実際上、ＣＱＩ送信タイミング制御部１１０は、メモリ１２１に格納されたパラメータＣＱＩ feedback cycle k（つまりＣＱＩ更新周期情報）に従った周期でＣＱＩの内容を変更すると共に、パラメータrepetition（つまりＣＱＩ繰り返し回数情報）に従った繰り返し回数だけ同一のＣＱＩを送信することを指示する制御信号を送信フレーム作成部１０９に送出する。因みに、メモリ１２１に格納されるＣＱＩ更新周期情報及びＣＱＩ繰り返し回数情報は、ＲＮＣ等の上位装置により設定され、無線基地局を介して受け取ったものである。
【００５６】
かかる構成に加えて、この実施の形態の通信端末１００は、ＣＱＩ送信タイミング優先判定部１２０を有する。ここでＣＱＩ送信タイミング制御部１１０は、ＣＱＩ更新周期情報に基づくＣＱＩの送信タイミングとＣＱＩ繰り返し回数情報に基づくＣＱＩの送信タイミングが重なったときに、ＣＱＩ送信タイミング優先判定部１２０に送信タイミングが重なったことを通知する。ＣＱＩ送信タイミング優先判定部１２０は、送信タイミングが重なったことを示す情報を受け取ったときに、繰り返しに基づくＣＱＩを優先して送信する指示をＣＱＩ送信タイミング制御部１１０に与える。ＣＱＩ送信タイミング制御部１１０は、ＣＱＩ送信タイミング優先判定部１２０から受け取った指示に従って、ＣＱＩを送信するタイミングと、繰り返しに基づくＣＱＩを優先して送信する指示を送信フレーム作成部１０９に与える。
【００５７】
送信フレーム作成部１０９は、送信データとＣＱＩ信号から送信フレームを作成し、変調部１１１に送出する。実際上、送信フレーム作成部１０９は、上述したようにＣＱＩ送信タイミング制御部１１０からの制御信号に従って、送信フレームのどの位置にＣＱＩ信号を埋め込むかを決めると共に、同一のＣＱＩ信号を埋め込むのか新たに変更したＣＱＩ信号を埋め込むのかを決めて送信フレームを作成する。
【００５８】
このようにＣＱＩ送信タイミング制御部１１０、ＣＱＩ送信タイミング優先判定部１２０及び送信フレーム作成部１０９は、ＣＱＩ更新周期情報に基づくＣＱＩの送信タイミングと、ＣＱＩ繰り返し回数情報に基づくＣＱＩの送信タイミングが重なるとき、ＣＱＩ繰り返し回数情報に基づくＣＱＩを優先して送信するＣＱＩ送信手段として機能する。
【００５９】
変調部１１１は、送信フレーム作成部１０９から入力した送信フレームを変調し、拡散部１１２に送出する。拡散部１１２は変調後の信号を拡散し、送信無線部１１３に送出する。送信無線部１１３は拡散後の信号に所定の無線処理を施し、アンテナ共用部１０２及びアンテナ１０１を介して無線基地局に送信する。
【００６０】
図２に、通信端末１００からのＣＱＩ信号を受信し、受信したＣＱＩに基づいて下り信号を送信する無線基地局の構成を示す。無線基地局２００において、受信無線部２０３は、通信端末１００から送信された無線信号を、アンテナ２０１及びアンテナ共用部２０２を介して受信し、所定の無線処理を施した後逆拡散部２０４に送出する。
【００６１】
メモリ２２１には、通信端末１００のメモリ１２１に格納されているものと同じＣＱＩ更新周期情報とＣＱＩ繰り返し回数情報が格納されている。従って、ＣＱＩ受信タイミング制御部２０５は、通信端末１００で用いたのと同じＣＱＩ更新周期情報とＣＱＩ繰り返し回数情報からＣＱＩを受信するタイミングを決定し、逆拡散部２０４に送出する。またＣＱＩ受信タイミング制御部２０５は、通信端末１００で用いたのと同じＣＱＩ更新周期情報とＣＱＩ繰り返し回数情報からＣＱＩを合成する回数を決定し、バッファ２０７と復号部２０８に送出する。
【００６２】
かかる構成に加えて、この実施の形態の無線基地局２００は、ＣＱＩ受信タイミング優先判定部２２０を有する。ここでＣＱＩ受信タイミング制御部２０５は、メモリ２２１に格納されたＣＱＩ更新周期情報に基づくＣＱＩの受信タイミングとＣＱＩ繰り返し回数情報に基づくＣＱＩの受信タイミングが重なったときに、ＣＱＩ受信タイミング優先判定部２２０に受信タイミングが重なったことを通知する。ＣＱＩ受信タイミング優先判定部２２０は、受信タイミングが重なったことを示す情報を受け取ったときに、繰り返しに基づくＣＱＩを優先して受信する指示をＣＱＩ受信タイミング制御部２０５に与える。ＣＱＩ受信タイミング制御部２０５は、ＣＱＩ受信タイミング優先判定部２２０から受け取った指示に従って、ＣＱＩを受信するタイミングを決定し、逆拡散部２０４に送出する。またＣＱＩ受信タイミング制御部２０５は、ＣＱＩ受信タイミング優先判定部２２０から受け取った指示に従って、ＣＱＩを合成する回数を決定し、この合成回数をバッファ２０７と復号部２０８に送出する。
【００６３】
逆拡散部２０４は、ＣＱＩ受信タイミング制御部２０５から指示されたＣＱＩ受信タイミングに従って、受信無線部２０３から入力した信号を逆拡散し、復調部２０６に送出する。復調部２０６は、逆拡散部２０４から入力した信号を復調し、バッファ２０７に送出する。バッファ２０７は、復調部２０６から入力した信号のうちＣＱＩ信号を保持し、それ以外の信号を復号部２０８に送出する。
【００６４】
またバッファ２０７は、ＣＱＩ受信タイミング制御部２０５から指示されたＣＱＩ合成回数に従った個数のＣＱＩを保持し、保持しているＣＱＩ信号を復号部２０８に送出し、その後バッファ２０７の中身を消去する。復号部２０８は、バッファ２０７から入力した復調後の信号を復号し、受信データを得る。また復号部２０８は、ＣＱＩ受信タイミング制御部２０５から指示されたＣＱＩ合成回数に従って、バッファ２０７から入力したＣＱＩ信号を合成して復号し、復号したＣＱＩをスケジューラ２０９に送出する。
【００６５】
このようにＣＱＩ受信タイミング制御部２０５、ＣＱＩ受信タイミング優先判定部２２０、逆拡散部２０４、バッファ２０７及び復号部２０８は、ＣＱＩ更新周期情報に基づくＣＱＩの受信タイミングとＣＱＩ繰り返し回数情報に基づくＣＱＩの受信タイミングが重なるとき、ＣＱＩ繰り返し回数情報に基づくＣＱＩを優先して受信復号するＣＱＩ受信復号手段として機能する。
【００６６】
スケジューラ２０９は、復号部２０８から入力したＣＱＩに基づいて送信データの伝送レートを決定し、送信フレーム作成部２１０に送出する。送信フレーム作成部２１０は、スケジューラ２０９から通知された伝送レートに基づいて送信フレームを作成し、変調部２１１に送出する。変調部２１１は、送信フレーム作成部２１０から入力した信号に変調処理を施し、拡散部２１２に送出する。なお伝送レートに基づいて変調部２１１の変調方式を変えるようにしてもよい。拡散部２１２は、変調後の信号に拡散変調を施し、送信無線部２１３に送出する。送信無線部２１３は、拡散変調後の信号に所定の無線処理を施し、アンテナ共用部２０２及びアンテナ２０１を介して通信端末１００に送信する。
【００６７】
次に、この実施の形態の動作について説明する。図３に、ＣＱＩ feedback cycle k＝２（２サブフレームに１回ＣＱＩを算出し２サブフレーム毎にＣＱＩを変更して無線基地局に送信することを意味する）、repetition＝３回（同じＣＱＩを連続したサブフレームで３回繰り返して送信することを意味する）とした場合の、本実施の形態の通信端末１００におけるＣＱＩの送信タイミングを示す。
【００６８】
通信端末１００は、ＣＱＩを算出する区間のうちサブフレーム（ＳＦ）＃0に対応した測定期間Ref 1で測定したＣＱＩ 1（図３（ａ））を、HS-DPCCHのサブフレーム（図３（ｂ））のうちＳＦ＃1とＳＦ＃2とＳＦ＃3で繰り返して送信することになる。また単純にＣＱＩ更新周期情報とＣＱＩ繰り返し回数情報に基づいてＣＱＩを配置しようとした場合、ＳＦ＃3に対応する測定期間Ref 2で測定したＣＱＩ 2を、ＳＦ＃3とＳＦ＃4とＳＦ＃5で送信することになり、ＳＦ＃3でＣＱＩ 1の送信タイミングとＣＱＩ 2の送信タイミングが重なる。またＳＦ＃4ではＣＱＩ 2を送信するか否かが明確でなくなる。同様に、ＳＦ＃5でＣＱＩ 2の送信タイミングとＣＱＩ 3の送信タイミングが重なり、ＳＦ＃7でＣＱＩ 3の送信タイミングとＣＱＩ 4の送信タイミングが重なる。
【００６９】
しかしながら、本実施の形態の通信端末１００においては、繰り返しに基づくＣＱＩを優先して送信するようになされているため、ＳＦ＃3ではＣＱＩ 1を、ＳＦ＃5、ＳＦ＃7ではＣＱＩ 3を送信する。また繰り返しに基づくＣＱＩを優先して送信したために送信がキャンセルされたＣＱＩについては、全く送信を行わないようになっている。つまり、ＣＱＩ 2やＣＱＩ 4の送信を取り止める。
【００７０】
このように、繰り返しに基づくＣＱＩを優先して送信するようにしたことにより、受信側でのＣＱＩの合成利得を確実に確保することができるようになる。その結果ＣＱＩの誤り率特性の低下を防止できるので、下り送信データ量の低下を抑制できる。
【００７１】
ここでＣＱＩ更新周期情報に基づくＣＱＩ送信タイミングとＣＱＩ繰り返し回数情報に基づくＣＱＩ送信タイミングとが重なる事態は、ＣＱＩ更新周期情報が短く設定され、ＣＱＩ繰り返し回数情報が多く設定されたときに生じる。ここでＣＱＩ更新周期を短くすると、電波伝搬環境が短時間で変化する場合に適切なＣＱＩを送ることができ、ＣＱＩ繰り返し回数を多くすると、ＣＱＩの合成利得が大きくなり誤り率特性を向上させるができることになる。ＣＱＩ更新周期情報に基づくＣＱＩの送信タイミングとＣＱＩ繰り返し回数情報に基づくＣＱＩの送信タイミングとが重った場合、そのどちらかを優先させることが考えられるが、本発明の発明者は、たとえ電波伝搬環境が短時間で変化する場合に適切なＣＱＩを送ることができても、そのＣＱＩの誤り率特性が悪いと却って下り送信データ量が減少してしまうことに着目し、繰り返しに基づくＣＱＩを優先して送信するようにした。
【００７２】
また繰り返しに基づくＣＱＩを優先して送信したために送信がキャンセルされたＣＱＩについては全く送信を行わないようにしたことにより、算出したＣＱＩをすぐに送信できるようになる。すなわち、ＣＱＩ 2をＳＦ＃４、ＳＦ＃５、ＳＦ＃６に配置することも考えられるが、このようにすると、ＣＱＩ 3をＳＦ＃７、ＳＦ＃８、ＳＦ＃９に配置することになり、実際に算出したＣＱＩの時点とそのＣＱＩを無線基地局に送信する時間に遅延が生じてしまう。この実施の形態では、繰り返しに基づくＣＱＩを優先して送信したために送信がキャンセルされたＣＱＩについては全く送信を行わないようにしているので、この遅延を無くして、このＣＱＩを用いて下り送信を行う無線基地局が電波伝搬環境に応じた適切な伝送レートで送信を行うことができるようになる。
【００７３】
図４に、通信端末１００と同じパラメータであるＣＱＩ feedback cycle k＝２、repetition＝３回とした場合の、本実施の形態の無線基地局２００におけるＣＱＩの受信タイミングを示す。
【００７４】
無線基地局２００は、単純にＣＱＩ更新周期情報とＣＱＩ繰り返し回数情報に基づいてＣＱＩの受信処理を行おうとすると、サブフレーム（ＳＦ）＃3において、ＣＱＩ 1の受信タイミングとＣＱＩ 2の受信タイミングが重なる。またＳＦ＃4ではＣＱＩ 2を受信する否かが明確でなくなる。同様に、ＳＦ＃5でＣＱＩ 2の受信タイミングとＣＱＩ 3の受信タイミングが重なり、ＳＦ＃7でＣＱＩ 3の受信タイミングとＣＱＩ 4の受信タイミングが重なる。
【００７５】
しかしながら、本実施の形態の無線基地局２００においては、繰り返しに基づくＣＱＩの受信タイミングを優先してＣＱＩを受信し復号するため、どのサブフレームではどのＣＱＩを受信しているかが明確となる。この結果、復号部２０８における合成時に確実に同じＣＱＩ同士を合成できるようになる。
【００７６】
具体的には、無線基地局２００は、ＳＦ＃1、ＳＦ＃2、ＳＦ＃3をＣＱＩ 1の受信タイミングとし、ＳＦ＃5、ＳＦ＃6、ＳＦ＃7をＣＱＩ 3の受信タイミングとする。そして復号部２０８において、ＳＦ＃1、ＳＦ＃2、ＳＦ＃3のＣＱＩ 1を合成すると共に、ＳＦ＃5、ＳＦ＃6、ＳＦ＃7のＣＱＩ 3を合成する。従って、ＣＱＩ 1、ＣＱＩ 3共に合成する回数は３回となる。これにより、通信端末と無線基地局が共にＣＱＩ更新周期情報に基づくＣＱＩ送信を優先した場合と比較して、無線基地局２００はＣＱＩを３回合成して受信し復号するため、ＣＱＩの受信電力は十分となり、誤りの無い正しいＣＱＩを得ることができるようになる。
【００７７】
次に本実施の形態に対する比較例を、図５、図６及び図７に示す。図５は、第１の比較例として、通信端末が繰り返し回数情報に基づくＣＱＩを優先して送信（ＵＥ送信）し、無線基地局がＣＱＩ更新周期情報に基づくＣＱＩを優先して受信復号（ＢＴＳ受信）した場合を示す。この場合、通信端末はＣＱＩ 1を３回合成して受信し復号できるような送信電力で送信しているにもかかわらず、無線基地局はサブフレーム（ＳＦ）＃1とＳＦ＃2でＣＱＩ 1を２回合成して受信し復号するため、ＣＱＩの受信電力が足らず、ＣＱＩを誤る確率が大きくなる。また通信端末はＳＦ＃３でしかＣＱＩ 1を送信していないにもかかわらず、無線基地局はＳＦ＃3とＳＦ＃4でＣＱＩ 2が２回送信されていると判断して、１回のＣＱＩ 1と何もない信号を２回合成して受信し復号するため、ＣＱＩを誤る確率が一層大きくなってしまう。
【００７８】
図６は、第２の比較例として、通信端末がＣＱＩ更新周期情報に基づくＣＱＩを優先して送信（ＵＥ送信）し、無線基地局が繰り返し回数情報に基づくＣＱＩを優先して受信復号（ＢＴＳ受信）した場合を示す。この場合、通信端末はサブフレーム（ＳＦ）＃1とＳＦ＃2でＣＱＩ 1を２回繰り返して送信し、ＳＦ＃3とＳＦ＃4でＣＱＩ 2を２回繰り返して送信する。無線基地局はＳＦ＃1とＳＦ＃2とＳＦ＃3でＣＱＩ 1が３回繰り返して送信されていると判断して、２回のＣＱＩ 1と１回のＣＱＩ 2を合わせて３回合成して受信し復号するため、ＣＱＩを誤る確率が大きくなる。
【００７９】
図７は、第３の比較例として、通信端末と無線基地局が共にＣＱＩ更新周期情報によるＣＱＩを優先して送信（ＵＥ送信）及び受信（ＢＴＳ受信）した場合を示す。この場合、通信端末はサブフレーム（ＳＦ）＃1とＳＦ＃2でＣＱＩ 1を２回繰り返して送信し、ＳＦ＃3とＳＦ＃4でＣＱＩ 2を２回繰り返して送信する。ここで通信端末はＣＱＩ 1を３回合成して受信し復号できるような送信電力で送信しているにもかかわらず、無線基地局はＳＦ＃1とＳＦ＃2でＣＱＩ 1を２回合成して受信復号し、ＳＦ＃３とＳＦ＃４でＣＱＩ 2を２回合成して受信復号するため、各々のＣＱＩの受信電力が足らず、ＣＱＩを誤る確率が大きくなる。
【００８０】
このように上記比較例では、本実施の形態と比較して、ＣＱＩの十分な受信電力を得ることができず、ＣＱＩを誤る確率が大きくなることが分かる。
【００８１】
かくして本実施の形態の構成によれば、予め設定されたＣＱＩ更新周期情報とＣＱＩ繰り返し回数情報に基づいてＣＱＩ信号の送信及び受信を行う場合に、ＣＱＩ繰り返し回数を優先させてＣＱＩの送信及び受信処理を行うようにしたことにより、ＣＱＩの誤り率特性の劣化を未然に防ぐことができる通信端末１００及び無線基地局２００を実現することができる。
【００８２】
（実施の形態２）
この実施の形態では、通信端末において、ＣＱＩ更新周期情報に基づくＣＱＩの送信タイミングとＣＱＩ繰り返し回数情報に基づくＣＱＩの送信タイミングが重なることを検出した場合、または無線基地局において、ＣＱＩ更新周期情報に基づくＣＱＩの受信タイミングとＣＱＩ繰り返し回数情報に基づくＣＱＩの受信タイミングが重なることを検出した場合に、通信端末又は無線基地局が上位装置にそのことを示す検出信号（以下これを誤り信号と呼ぶ）を送信する。そして上位装置はこの誤り信号を受け取ったときに、送信タイミング及び受信タイミングが重ならない新たなＣＱＩ更新周期情報及びＣＱＩ繰り返し回数情報を再設定し、この再設定した情報を通信端末と無線基地局の両方に、通知することである。
【００８３】
図８に示すように、上位装置３００と無線基地局４００は有線により接続されており、無線基地局４００と通信端末５００は無線により接続されている。上位装置３００は、無線基地局４００における無線リソースの管理や無線基地局４００の制御等を行い、例えばハンドオーバの制御を行う。また上位装置３００は、無線基地局４００を介して通信端末５００に情報を送信できる。
【００８４】
図９に、本実施の形態の通信端末５００の構成を示す。ここで図９では、図１との対応部分には同一符号を付してその部分の説明は省略する。ＣＱＩ送信タイミング制御部５０１は、実施の形態１の送信タイミング制御部１１０と同様に、メモリ１２１に格納されたＣＱＩ更新周期情報に基づくＣＱＩの送信タイミングとＣＱＩ繰り返し回数情報に基づくＣＱＩの送信タイミングが重なったときに、ＣＱＩ送信タイミング優先判定部１２０に送信タイミングが重なったことを通知する。ＣＱＩ送信タイミング優先判定部１２０は、送信タイミングが重なったことを示す情報を受け取ったときに、繰り返しに基づくＣＱＩを優先して送信する指示をＣＱＩ送信タイミング制御部５０１に与える。ＣＱＩ送信タイミング制御部５０１は、ＣＱＩ送信タイミング優先判定部１２０から受け取った指示に従って、ＣＱＩを送信するタイミングと、繰り返しに基づくＣＱＩを優先して送信する指示を送信フレーム作成部１０９に与える。
【００８５】
加えて、この実施の形態のＣＱＩ送信タイミング制御部５０１は、ＣＱＩ更新周期情報に基づくＣＱＩの送信タイミングとＣＱＩ繰り返し回数情報に基づくＣＱＩの送信タイミングが重なることを検出したときに、誤り信号を発生し、この誤り信号を送信フレーム作成部１０９に送出する。送信フレーム作成部１０９は誤り信号を送信フレーム中に挿入する。ここで誤り信号の中には、現在メモリ１２１に格納されているＣＱＩ更新周期情報とＣＱＩ繰り返し回数情報が含まれている。この誤り信号は、無線基地局４００を介して上位装置３００に送られる。
【００８６】
上位装置３００は、通信端末５００からの誤り信号を受信すると、ＣＱＩ更新周期情報に基づくＣＱＩの送信タイミングとＣＱＩ繰り返し回数情報に基づくＣＱＩの送信タイミングが重ならないような新たなＣＱＩ更新周期情報及びＣＱＩ繰り返し回数情報を設定し、この新規ＣＱＩ更新周期情報及び新規ＣＱＩ繰り返し回数情報を無線基地局４００を介して通信端末５００に送信する。
【００８７】
通信端末５００は、この新規ＣＱＩ更新周期情報及び新規ＣＱＩ繰り返し回数情報を受信すると、これをメモリ１２１に格納する。そして以降、この新規ＣＱＩ更新周期情報及び新規ＣＱＩ繰り返し回数情報を用いて、ＣＱＩを送信するようになっている。これにより、以降のＣＱＩ送信を行う際に、ＣＱＩ更新周期情報に基づくＣＱＩの送信タイミングとＣＱＩ繰り返し回数情報に基づくＣＱＩの送信タイミングが重ならなくすることができる。
【００８８】
図１０に、本実施の形態の無線基地局４００の構成を示す。ここで図１０では、図２との対応部分に同一符号を付してその部分の説明は省略する。ＣＱＩ受信タイミング制御部４０１は、実施の形態１のＣＱＩ受信タイミング制御部２０５と同様に、メモリ２２１に格納されたＣＱＩ更新周期情報に基づくＣＱＩの受信タイミングとＣＱＩ繰り返し回数情報に基づくＣＱＩの受信タイミングが重なったときに、ＣＱＩ受信タイミング優先判定部２２０に受信タイミングが重なったことを通知する。ＣＱＩ受信タイミング優先判定部２２０は、受信タイミングが重なったことを示す情報を受け取ったときに、繰り返しに基づくＣＱＩを優先して受信する指示をＣＱＩ受信タイミング制御部４０１に与える。ＣＱＩ受信タイミング制御部４０１は、ＣＱＩ受信タイミング優先判定部２２０から受け取った指示に従って、ＣＱＩを受信するタイミングを決定し、逆拡散部２０４に送出する。またＣＱＩ受信タイミング制御部４０１は、ＣＱＩ受信タイミング優先判定部２２０から受け取った指示に従って、ＣＱＩを合成する回数を決定し、この合成回数をバッファ２０７と復号部２０８に送出する。
【００８９】
加えて、この実施の形態のＣＱＩ受信タイミング制御部４０１は、ＣＱＩ更新周期情報に基づくＣＱＩの送信タイミングとＣＱＩ繰り返し回数情報に基づくＣＱＩの送信タイミングが重なることを検出したときに、誤り信号（ＣＱＩ更新周期情報とＣＱＩ繰り返し回数情報を含む）を発生し、この誤り信号を上位装置３００に送る。
【００９０】
上位装置３００は、無線基地局４００から誤り信号を受信すると新たなＣＱＩ更新周期情報及びＣＱＩ繰り返し回数情報を設定し、この新規ＣＱＩ更新周期情報及び新規ＣＱＩ繰り返し回数情報を無線基地局４００に送信する。
【００９１】
無線基地局４００は、この新規ＣＱＩ更新周期情報及び新規ＣＱＩ繰り返し回数情報を受け取ると、メモリ２２１にこれを格納する。そして以降、この新規ＣＱＩ更新周期情報及び新規ＣＱＩ繰り返し回数情報を用いて、ＣＱＩを受信するようになっている。これにより、以降のＣＱＩ受信を行う際に、ＣＱＩ更新周期情報に基づくＣＱＩの受信タイミングとＣＱＩ繰り返し回数情報に基づくＣＱＩの受信タイミングが重ならなくすることができる。
【００９２】
このように、この実施の形態の上位装置３００、無線基地局４００、通信端末５００からなる通信システムにおいては、通信端末５００又は無線基地局４００のいずれかでＣＱＩ更新周期情報に基づくＣＱＩの送信又は受信タイミングとＣＱＩ繰り返し回数情報に基づくＣＱＩの送信又は受信タイミングが重なったときに、このことを上位装置３００に報告する。
【００９３】
上位装置３００は、その報告を受けると、ＣＱＩ更新周期情報とＣＱＩ繰り返し回数情報を再設定し、通信端末５００及び無線基地局４００に新規設定情報を送る。なお上記説明では、説明を簡単化するために、通信端末５００が誤り信号を発生した場合には通信端末５００のみが新規設定情報を受け取り、無線基地局４００が誤り信号を発生した場合には無線基地局４００のみが新規設定情報を受け取るように記載したが、新規設定情報は通信端末５００及び無線基地局４００の両方に送られ両方のメモリ１２１、２２１に同一の情報が保持されるようになされている。つまり、通信端末５００又は無線基地局４００のいずれかで誤り信号が発せされた場合には、上位装置３００で再設定された新規設定情報は、通信端末５００及び無線基地局４００の両方に送られ、以降、通信端末５００及び無線基地局４００で新規設定情報を用いて送受信を行うようになっている。
【００９４】
これにより、通信端末５００と無線基地局４００が同一の新規ＣＱＩ更新周期情報及び新規ＣＱＩ繰り返し回数情報を用いて、ＣＱＩの送信処理及び受信処理を行うことができるようになるので、無線基地局４００は通信端末５００から送信されたＣＱＩを的確に合成することができるようになる。
【００９５】
ここでこの実施の形態の場合、上位装置３００は、ＣＱＩ更新周期情報とＣＱＩ繰り返し回数情報を再設定するにあたって、ＣＱＩ更新周期情報のみを再設定し、ＣＱＩ繰り返し回数情報は変更しないようになされている。これにより、新たなＣＱＩ更新周期情報とＣＱＩ繰り返し回数情報を用いて、通信端末５００から無線基地局４００にＣＱＩを送った場合のＣＱＩの誤る確率を小さくすることができる。つまり、再設定の方法を考えると、ＣＱＩ更新周期情報をそのままとし、ＣＱＩ繰り返し回数情報を少なくする方法も考えられるが、このようにＣＱＩ繰り返し回数情報を少なくしてしまうと上述したようにＣＱＩの誤る確率が大きくなるおそれがある。これを考慮して、この実施の形態ではＣＱＩ更新周期情報のみを変更するようになっている。例えば上位装置３００は、通信端末５００から誤り信号と共にＣＱＩ feedback cycle k＝２、repetition＝３回との情報を受け取ったときは、ＣＱＩ feedback cycle k＝３、repetition＝３回と再設定し、通信端末５００と無線基地局４００の両方にＣＱＩ feedback cycle k＝３、repetition＝３回を新規情報として通知する。
【００９６】
かくして本実施の形態によれば、通信端末５００によってＣＱＩ更新周期情報に基づくＣＱＩの送信タイミングとＣＱＩ繰り返し回数情報に基づくＣＱＩの送信タイミングが重なることが検出された場合、または無線基地局４００によってＣＱＩ更新周期情報に基づくＣＱＩの受信タイミングとＣＱＩ繰り返し回数情報に基づくＣＱＩの受信タイミングが重なることが検出された場合に、ＣＱＩ更新周期情報とＣＱＩ繰り返し回数情報を再設定するようにしたことにより、通信端末５００及び無線基地局４００は新規設定されたＣＱＩ更新周期情報とＣＱＩ繰り返し回数情報を用いて、ＣＱＩの送信タイミング及び受信タイミングが重ならないようなＣＱＩ送信処理及びＣＱＩ受信処理を行うことができるようになる。
【００９７】
また再設定するにあたって、ＣＱＩ繰り返し回数情報を変えずに、ＣＱＩ更新周期情報のみを変更するようにしたことにより、新たなＣＱＩ更新周期情報とＣＱＩ繰り返し回数情報を用いて通信端末５００から無線基地局４００にＣＱＩ信号を送った場合のＣＱＩの誤る確率を小さくすることができる。
【００９８】
なおこの実施の形態では、上位装置３００によってＣＱＩを再設定する場合について述べたが、本発明はこれに限らず、無線基地局４００によってＣＱＩを再設定するようにしてもよい。この場合、無線基地局４００は、通信端末５００から誤り信号を受け取ったときに再設定を行い、その新規設定情報を通信端末５００及び上位装置３００に送ると共に自局のメモリ２２１に格納するようにすればよい。
【００９９】
またこの実施の形態では、誤り信号にＣＱＩ更新周期情報（ＣＱＩ feedback cycle k）とＣＱＩ繰り返し回数情報（repetition）を含ませて送るようにした場合について述べたが、タイミングが重なったことを示す情報だけを送るようにしてもよい。
【０１００】
またこの実施の形態では、ＣＱＩ更新周期情報のみを再設定する場合について述べたが、ＣＱＩ更新周期情報とＣＱＩ繰り返し回数情報の両方を再設定するようにしてもよい。これは後述する実施の形態３についても同様である。
【０１０１】
さらにこの実施の形態では、実施の形態１と同様にＣＱＩ送信タイミング優先判定部１２０を設け、ＣＱＩ繰り返し回数情報に基づくＣＱＩをＣＱＩ更新周期情報に基づくＣＱＩよりも優先して送信する場合について述べたが、再設定された新規ＣＱＩ更新周期情報及び新規ＣＱＩ繰り返し回数情報を用いれば、ＣＱＩの送信タイミングは重ならないのでＣＱＩ送信タイミング優先判定部１２０を省略することもできる。同様に、ＣＱＩ受信タイミング優先判定部２２０を設け、ＣＱＩ繰り返し回数情報に基づくＣＱＩをＣＱＩ更新周期情報に基づくＣＱＩよりも優先して受信する場合について述べたが、再設定された新規ＣＱＩ更新周期情報及び新規ＣＱＩ繰り返し回数情報を用いれば、ＣＱＩの受信タイミングは重ならないのでＣＱＩ受信タイミング優先判定部２２０を省略することもできる。これは後述する実施の形態３についても同様である。
【０１０２】
（実施の形態３）
この実施の形態では、通信端末が、ＣＱＩ更新周期情報に基づくＣＱＩの送信タイミングとＣＱＩ繰り返し回数情報に基づくＣＱＩの送信タイミングとが重なることを検出したときに、ＣＱＩの送信タイミングが重ならないようなＣＱＩ更新周期情報及びＣＱＩ繰り返し回数情報を再設定する。またこの実施の形態では、無線基地局が、ＣＱＩ更新周期情報に基づくＣＱＩの受信タイミングとＣＱＩ繰り返し回数情報に基づくＣＱＩの受信タイミングとが重なることを検出したときに、ＣＱＩの受信タイミングが重ならないようなＣＱＩ更新周期情報及びＣＱＩ繰り返し回数情報を再設定する。そして通信端末又は無線基地局は、再設定した新規設定情報を上位装置に通知する。上位装置は、通信端末又は無線基地局のいずれか一方から新規設定情報を受け取ると、通信端末と無線基地局の設定が同じになるように、その新規設定情報を他方に通知するようになされている。
【０１０３】
図１１に、本実施の形態の通信端末６００の構成を示す。ここで図１１では、図１との対応部分には同一符号を付してその部分の説明は省略する。ＣＱＩ送信タイミング制御部６０１は、実施の形態１の送信タイミング制御部１１０と同様に、メモリ１２１に格納されたＣＱＩ更新周期情報に基づくＣＱＩの送信タイミングとＣＱＩ繰り返し回数情報に基づくＣＱＩの送信タイミングが重なったときに、ＣＱＩ送信タイミング優先判定部１２０に送信タイミングが重なったことを通知する。ＣＱＩ送信タイミング優先判定部１２０は、送信タイミングが重なったことを示す情報を受け取ったときに、繰り返しに基づくＣＱＩを優先して送信する指示をＣＱＩ送信タイミング制御部６０１に与える。ＣＱＩ送信タイミング制御部６０１は、ＣＱＩ送信タイミング優先判定部１２０から受け取った指示に従って、ＣＱＩを送信するタイミングと、繰り返しに基づくＣＱＩを優先して送信する指示を送信フレーム作成部１０９に与える。
【０１０４】
加えて、この実施の形態のＣＱＩ送信タイミング制御部６０１は、ＣＱＩ更新周期情報に基づくＣＱＩの送信タイミングとＣＱＩ繰り返し回数情報に基づくＣＱＩの送信タイミングが重なることを検出したときに、ＣＱＩ更新周期情報に基づくＣＱＩの送信タイミングとＣＱＩ繰り返し回数情報に基づくＣＱＩの送信タイミングが重ならないような新たなＣＱＩ更新周期情報及びＣＱＩ繰り返し回数情報を設定し、この新規ＣＱＩ更新周期情報及び新規ＣＱＩ繰り返し回数情報をメモリ１２１に格納すると共に、送信フレーム作成部１０９に送出する。
【０１０５】
送信フレーム作成部１０９は、新規ＣＱＩ更新周期情報及び新規ＣＱＩ繰り返し回数情報を送信フレーム中に挿入する。そしてこの新規ＣＱＩ更新周期情報及び新規ＣＱＩ繰り返し回数情報は、無線基地局を介して上位装置に送られる。
【０１０６】
図１２に、本実施の形態の無線基地局７００の構成を示す。ここで図１２では、図２との対応部分に同一符号を付してその部分の説明は省略する。ＣＱＩ受信タイミング制御部７０１は、実施の形態１のＣＱＩ受信タイミング制御部２０５と同様に、メモリ２２１に格納されたＣＱＩ更新周期情報（に基づくＣＱＩの受信タイミングとＣＱＩ繰り返し回数情報に基づくＣＱＩの受信タイミングが重なったときに、ＣＱＩ受信タイミング優先判定部２２０に受信タイミングが重なったことを通知する。ＣＱＩ受信タイミング優先判定部２２０は、受信タイミングが重なったことを示す情報を受け取ったときに、繰り返しに基づくＣＱＩを優先して受信する指示をＣＱＩ受信タイミング制御部７０１に与える。ＣＱＩ受信タイミング制御部７０１は、ＣＱＩ受信タイミング優先判定部２２０から受け取った指示に従って、ＣＱＩを受信するタイミングを決定し、逆拡散部２０４に送出する。またＣＱＩ受信タイミング制御部７０１は、ＣＱＩ受信タイミング優先判定部２２０から受け取った指示に従って、ＣＱＩを合成する回数を決定し、この合成回数をバッファ２０７と復号部２０８に送出する。
【０１０７】
加えて、この実施の形態のＣＱＩ受信タイミング制御部７０１は、ＣＱＩ更新周期情報に基づくＣＱＩの受信タイミングとＣＱＩ繰り返し回数情報に基づくＣＱＩの受信タイミングが重なることを検出したときに、ＣＱＩ更新周期情報に基づくＣＱＩの受信タイミングとＣＱＩ繰り返し回数情報に基づくＣＱＩの受信タイミングが重ならないような新たなＣＱＩ更新周期情報及びＣＱＩ繰り返し回数情報を設定し、この新規ＣＱＩ更新周期情報及び新規ＣＱＩ繰り返し回数情報をメモリ２２１に格納すると共に、上位装置３００に通知する。
【０１０８】
上位装置３００は、通信端末６００又は無線基地局７００のいずれかから新規設定を受け取ったときに、通信端末６００と無線基地局７００が同じ設定になるように指示する。例えば、通信端末６００から新規設定情報を受け取ったとき、無線基地局７００にこの新規設定情報と同一の新規設定情報を通知する。これにより、通信端末６００と無線基地局７００が異なるＣＱＩ送信周期情報とＣＱＩ繰り返し回数情報を用いてしまうことを確実に回避でき、無線基地局７００は確実に同じＣＱＩ同士を合成できるようになる。
【０１０９】
因みに、この実施の形態においても、実施の形態２と同様に、再設定を行うにあたって、ＣＱＩ繰り返し回数情報を変えずに、ＣＱＩ更新周期情報のみを変更するようになされている。これにより、新たなＣＱＩ更新周期情報とＣＱＩ繰り返し回数情報を用いて通信端末６００から無線基地局７００にＣＱＩ信号を送った場合のＣＱＩの誤る確率を小さくすることができる。
【０１１０】
（他の実施の形態）
なお上述した実施の形態１〜３では、通信端末がＣＱＩを送信し、無線基地局がＣＱＩを受信する場合について述べたが、本発明はこれに限らず、例えば無線基地局がＣＱＩを送信し、通信端末がＣＱＩを受信してもよく、ＣＱＩ更新周期情報とＣＱＩ繰り返し回数情報を用いてＣＱＩの送受信をする場合に広く適用できる。
【０１１１】
また上述した実施の形態３では、通信端末６００が新規設定を行ったとき、上位装置３００に新規設定情報を通知し、上位装置３００が無線基地局７００にこの新規設定情報を通知する場合について説明したが、通信端末６００から無線基地局７００に新規設定情報を通知し、無線基地局７００がこの新規設定情報をメモリ２２１に格納するようにしてもよい。この場合、無線基地局７００は上位装置３００に新規設定情報を通知する。同様に上述した実施の形態３では、無線基地局７００が新規設定を行ったとき、上位装置３００に新規設定情報を通知し、上位装置３００が通信端末６００にこの新規設定情報を通知する場合について説明したが、無線基地局７００から通信端末６００に直接新規設定情報を通知するようにしてもよい。この場合、無線基地局７００は上位装置３００に新規設定情報を通知する。
【０１１２】
また上述した実施の形態１〜３では、ＣＱＩ更新周期情報に基づくＣＱＩの送信タイミングとＣＱＩ繰り返し回数情報に基づくＣＱＩの送信タイミングが重なることを検出したとき、ＣＱＩ繰り返し回数情報に基づくＣＱＩを優先して送信する場合について述べたが、ＣＱＩ更新周期情報に基づくＣＱＩの送信タイミングとＣＱＩ繰り返し回数情報に基づくＣＱＩの送信タイミングが重なることを検出したときに、ＣＱＩの送信を中止してもよい。同様に、ＣＱＩ更新周期情報に基づくＣＱＩの受信タイミングとＣＱＩ繰り返し回数情報に基づくＣＱＩの受信タイミングが重なることを検出したときに、ＣＱＩの受信復号を中止してもよい。これにより、誤ったＣＱＩを受信復号することを回避できる。
【０１１３】
また上述した実施の形態１〜３では、ＣＱＩ更新周期情報に基づくＣＱＩの送信タイミングとＣＱＩ繰り返し回数情報に基づくＣＱＩの送信タイミングが重なる場合に、ＣＱＩ繰り返し回数情報に基づくＣＱＩを優先して送信する場合について述べたが、ＣＱＩ更新周期情報以外のＣＱＩの送信タイミングとＣＱＩ繰り返し回数情報によるＣＱＩの送信タイミングが重なったときも、ＣＱＩ繰り返し回数情報によるＣＱＩを優先して送信してもよく、この場合も上述した実施の形態と同様の効果を得ることができる。
【０１１４】
例えば、ＡＣＫ／ＮＡＣＫ信号を送信するときは、同じサブフレーム内でＣＱＩ信号を必ず送信する場合がある。この場合によるＣＱＩの送信タイミングとＣＱＩ繰り返し回数情報によるＣＱＩの送信タイミングが重なったとき、ＣＱＩ繰り返し回数情報によるＣＱＩを優先して送信する。または、上位装置からＣＱＩ更新周期情報に基づくＣＱＩの送信タイミング以外にＣＱＩを送信するように要求された場合、この場合によるＣＱＩの送信タイミングとＣＱＩ繰り返し回数情報によるＣＱＩの送信タイミングが重なったとき、ＣＱＩ繰り返し回数情報によるＣＱＩを優先して送信する。
【０１１５】
さらに上述した実施の形態１〜３では、ＣＱＩ（もしくは同様の概念の情報）を送受信する場合について述べたが、ＣＱＩを送受信する場合に限らず、要は、更新周期情報と繰り返し回数情報に基づいて、情報を送受信する場合に広く適用できる。
【０１１６】
さらに上述した実施の形態１〜３では、同一タイムスロットで複数の通信端末装置にパケットをコード多重するＨＳＤＰＡを用いてパケットを伝送する例について説明しているが、これに限らず、複数の通信端末装置宛にパケットを多重化してスケジューリングを行う通信であれば、いずれにも適用できる。
【０１１７】
例えば、複数の通信端末装置にパケットをコード多重、または時間多重、あるいは周波数多重してスケジューリングを行う通信であれば、いずれにも適用できる。時間多重の場合、あるフレーム単位の中の複数のタイムスロットでスケジューリングを行う。周波数多重の場合、同一タイムスロットで各周波数毎にスケジューリングを行う。
【産業上の利用可能性】
【０１１８】
本発明は、例えばＣＱＩ（Channel Quality Indicator）を誤りなく通知することが要求される無線送信装置、無線受信装置及び無線通信システムに適用して好適なものである。
【図面の簡単な説明】
【０１１９】
【図１】本発明の実施の形態１に係る通信端末の構成を示すブロック図
【図２】実施の形態１の無線基地局の構成を示すブロック図
【図３】実施の形態１の通信端末の送信タイミングの説明に供する図
【図４】実施の形態１の無線基地局の受信タイミングの説明に供する図
【図５】実施の形態に対する第１の比較例の送受信タイミングの説明に供する図
【図６】実施の形態に対する第２の比較例の送受信タイミングの説明に供する図
【図７】実施の形態に対する第３の比較例の送受信タイミングの説明に供する図
【図８】実施の形態２、３の無線通信システムを示すブロック図
【図９】実施の形態２の通信端末の構成を示すブロック図
【図１０】実施の形態２の無線基地局の構成を示すブロック図
【図１１】実施の形態３の通信端末の構成を示すブロック図
【図１２】実施の形態３の無線基地局の構成を示すブロック図
【図１３】従来の通信端末の構成を示すブロック図
【図１４】ＣＱＩ更新周期情報とＣＱＩ繰り返し回数情報とを用いたＣＱＩ送信タイミングの説明に供する図
【図１５】従来の無線基地局の構成を示すブロック図
【図１６】ＣＱＩ更新周期情報とＣＱＩ繰り返し回数情報とを用いたＣＱＩ受信タイミングの説明に供する図
【図１７】ＣＱＩ更新周期情報に基づくＣＱＩの送信タイミングとＣＱＩ繰り返し回数情報に基づくＣＱＩの送信タイミングが重なる場合の説明に供する図
【符号の説明】
【０１２０】
１００、５００、６００  通信端末
１０９  送信フレーム作成部
１１０、５０１、６０１  ＣＱＩ送信タイミング制御部
１２０  ＣＱＩ送信タイミング優先判定部
１２１、２２１  メモリ
２００、４００、７００  無線基地局
２０５、４０１、７０１  ＣＱＩ受信タイミング制御部
２０７  バッファ
２０８  復号部
２２０  ＣＱＩ受信タイミング優先判定部
ＳＦ＃０〜ＳＦ＃７  サブフレーム
３００  上位装置
【図１】
2005057391.tif 000003
【図２】
2005057391.tif 000004
【図３】
2005057391.tif 000005
【図４】
2005057391.tif 000006
【図５】
2005057391.tif 000007
【図６】
2005057391.tif 000008
【図７】
2005057391.tif 000009
【図８】
2005057391.tif 000010
【図９】
2005057391.tif 000011
【図１０】
2005057391.tif 000012
【図１１】
2005057391.tif 000013
【図１２】
2005057391.tif 000014
【図１３】
2005057391.tif 000015
【図１４】
2005057391.tif 000016
【図１５】
2005057391.tif 000017
【図１６】
2005057391.tif 000018
【図１７】
2005057391.tif 000019